(57)【要約】      （修正有）【課題】周囲の流出防止措置が不要な容器のキャップ開閉用治具を提供する。【解決手段】容器のキャップ開閉用のヘッド部５を備える開閉具１と、ヘッド部の周囲を覆う保護カバー部２とを備える容器のキャップ開閉用治具Ａが提供される。保護カバー部に保護カバー部の内部の圧力を解放し液体内容物を任意の方向に誘導する圧力解放用開口部３が設けられ、また治具の底面には接続用開口部４が設けられている。キャップの開放操作時にキャップから液体内容物が噴出した場合にも保護カバー部の内側の圧力が上昇せず、圧力解放用開口部によって液体内容物を任意の方向に誘導することができ、流出した液体内容物を廃液ピットや専用の受け容器等で受け止めることができるため、周囲の流出防止措置を取ることなく、容器のキャップ開作業を行うことが可能となる。【選択図】図１
2018150063.tif 000002
【特許請求の範囲】
【請求項１】
容器のキャップ開閉用のヘッド部を備える開閉具と、前記ヘッド部の周囲を覆う保護カバー部とを備える容器のキャップ開閉用治具であって、
前記保護カバー部に、前記保護カバー部の内部領域と連通する圧力解放用開口部が設けられ、
前記治具の底面に、前記容器と前記治具とを接続させるための接続用開口部が設けられていることを特徴とする、容器のキャップ開閉用治具。
【請求項２】
前記圧力解放用開口部が液体内容物の誘導方向を制限する圧力解放パイプにより構成され、前記圧力解放パイプは前記保護カバー部と接続する側の端が前記保護カバー部の内側と連通され、もう一方の端が開放されていることを特徴とする、請求項１に記載の容器のキャップ開閉用治具。
【請求項３】
前記圧力解放パイプの開放されている先に、流出した液体内容物を回収する受け容器が設けられたことを特徴とする、請求項２に記載の容器のキャップ開閉用治具。
【請求項４】
前記開閉具が、前記ヘッド部と前記ヘッド部に連結された回転自在の軸部からなり、前記軸部が前記保護カバー部を貫通する部分に流出抑制パイプが設けられ、前記流出抑制パイプには前記軸部が挿通され、前記流出抑制パイプの一方の端が前記保護カバー部の内側と連通し、前記流出抑制パイプのもう一方の端が開口していることを特徴とする、請求項１に記載の容器のキャップ開閉用治具。
【請求項５】
前記開閉具が、前記ヘッド部と前記ヘッド部に連結された回転自在の軸部からなり、前記軸部が前記保護カバー部を貫通する部分に流出抑制パイプが設けられ、前記流出抑制パイプには前記軸部が挿通され、前記流出抑制パイプの一方の端が前記保護カバー部の内側と連通し、前記流出抑制パイプのもう一方の端が開口していることを特徴とする、請求項２または３に記載の容器のキャップ開閉用治具。
【請求項６】
前記流出抑制パイプの内径が、前記圧力解放パイプの内径の３分の１以下である、請求項５に記載の容器のキャップ開閉用治具。
【請求項７】
前記開閉具が、前記軸部に連結されたハンドル部をさらに備える、請求項４〜６のいずれか一項に記載の容器のキャップ開閉用治具。
【請求項８】
前記圧力解放用開口部が、前記保護カバー部の外側からキャップを目視できるような位置に設けられている、請求項１〜７のいずれか一項に記載の容器のキャップ開閉用治具。
【請求項９】
請求項１〜８のいずれか一項に記載の容器のキャップ開閉用治具を使用し、容器のキャップを開ける方法。
【発明の詳細な説明】
【技術分野】
【０００１】
本発明は、液体内容物を充填した容器のキャップを開閉する際の安全性を確保することのできる容器のキャップ開閉用治具に関する。
【背景技術】
【０００２】
従来から、一般的なドラム缶のキャップを開閉する際の作業効率を高めるために、ドラムレンチ、ドラムスパナなど様々な性状の治具が提案され、販売されている（例えば特許文献１及び２）。
液体内容物が封入されているドラム缶を開封する際には、ドラム缶内部圧力の上昇が原因で内容物が噴出することがある。そのため、万が一内容物が噴出した場合に備えて、保護手袋や作業衣等を着用する必要がある。
【０００３】
この観点に鑑み、特許文献３では円錐、円錐台、多角錐及び多角錐台から選ばれる１種から底面を除いた部分の形状を有し、キャップ開閉時に用いる治具のヘッド及びその周囲を傘状に覆うことを特徴とする容器のキャップ開閉治具保護カバーが提案されている。この容器のキャップ開閉治具保護カバーを用いることで、例えば全身を覆う保護服を着用しながらキャップ開閉作業を行うといったような著しく作業性を低下させる方法を採用せずに、開閉作業を行うことができるとされている。
【０００４】
しかしながら、特許文献３の容器のキャップ開閉治具保護カバーを使用すると、キャップから液体内容物が噴出した場合に保護カバーの内圧があがり、キャップ開閉用の工具を挿入する窓部や保護カバーの隙間から液体内容物が周囲に流出する恐れがあり、容器の周囲に防液堤などの流出防止措置をとる必要があった。また保護カバーの容量以上の液体内容物が噴出した場合にも、同様にキャップ開閉用の工具を挿入する窓部や保護カバーの隙間から液体内容物が周囲に流出する恐れがあり、この観点でも前記と同様に容器周囲の流出防止措置が必要であった。
【先行技術文献】
【特許文献】
【０００５】
【特許文献１】実開平６−１５９７１号公報
【特許文献２】実開昭６３−１４７２６８号公報
【特許文献３】特開２０１５−１０５１３７号公報
【発明の概要】
【発明が解決しようとする課題】
【０００６】
本願では、上述した先行技術の問題点に鑑み、周囲の流出防止措置が不要な容器のキャップ開閉用治具を提供する。
【課題を解決するための手段】
【０００７】
上述の課題を解決する本発明は、容器のキャップ開閉用の治具であって、キャップ開閉用のヘッド部を備える開閉具と、前記ヘッド部の周囲を覆う保護カバー部とを備え、前記保護カバー部には、保護カバー内部領域にある内部の圧力を解放して液体内容物を任意の方向に誘導する圧力解放用開口部が連通して設けられており、さらに治具の底面に容器と治具とを接続させるための接続用開口部が設けられていることを特徴とする。
保護カバー部が、ヘッド部の周囲を覆うように設けられ、さらに保護カバー部に圧力解放用開口部が設けられているので、キャップの開放操作時にキャップから液体内容物が噴出した場合にも保護カバー部の内側の圧力が上昇せず、圧力解放用開口部によって液体内容物を任意の方向に誘導することができ、流出した液体内容物を廃液ピットや専用の受け容器等で受け止めることができるため、周囲の流出防止措置を取ることなく、容器のキャップ開作業を行うことが可能となる。
【発明の効果】
【０００８】
本発明の容器のキャップ開閉用治具を用いることにより、周囲の流出防止措置を取ることなく、容器のキャップ開作業を行うことができる。
【図面の簡単な説明】
【０００９】
【図１】本発明品の一例を示す斜視図である。
【図２】圧力解放パイプを設けた本発明品の一例を示す斜視図である。
【図３】圧力解放パイプならびに流出抑制パイプを設けた本発明品の一例を示す斜視図である。
【図４】本発明品の使用方法の一例を示す図である。
【発明を実施するための形態】
【００１０】
以下、本発明の複数の実施形態について、それぞれ図面を参照しながら説明する。なお、本明細書および図面において、実質的に同一の機能構成を有する要素においては、同一の符号を付することにより重複説明を省略する。
【００１１】
[第一実施形態]
図１は本発明品である容器のキャップ開閉用治具の一例の構成を示す図である。本発明品である容器のキャップ開閉用治具Ａは、キャップ開閉用のヘッド部５を備える開閉具１と、前記ヘッド部５の周囲を覆う保護カバー部２とを備え、前記保護カバー部２には圧力解放用開口部３が設けられ、さらに治具Ａの底面には接続用開口部４が設けられている。図１の左図では本発明品である容器のキャップ開閉用治具Ａを、右図では前記治具Ａを構成する開閉具１を示している。
また、本発明品である容器のキャップ開閉用治具を構成する開閉具１には、前記ヘッド部５に加えて、前記ヘッド部５に連結された回転自在の軸部６と、前記保護カバー部２に前記軸部６を貫通させるために開けられた軸貫通部７とが設けられてもよく、前記保護カバー部２の外側には前記軸部６に連結されたハンドル部８が設けられていてもよい。以下に各部の詳細な構成について説明する。
【００１２】
開閉具１は、容器のキャップを把持した後にキャップを回転させることでキャップの開閉を行うための部位である。この開閉具１は、キャップを把持するためのヘッド部５を備える。ヘッド部５は、キャップの開閉をする際にキャップと嵌合し、ヘッド部に与えられたトルクをキャップに伝達してキャップを開閉させるための部位である。このヘッド部５の形状は、キャップの形状に合わせて、公知のキャップ把持用ヘッドの形状とすることができる。例えば、特許文献１のように様々なキャップ形状に係合できるように係合部を工夫してもよく、特許文献２のようにラチェット機構を設けてもよい。また操作性を向上させる目的で、開閉具１にはヘッド部５と連結したハンドルなどを設けてもよい。例えば、第一実施形態では開閉具１にハンドル部８を設けた構成となっている。
なお、ヘッド部５にトルクを与えてキャップを回転させる際に、必ずしも人力を用いる必要はなく、電動工具等を用いても構わない。また、第一実施形態ではハンドル部８が保護カバー２の外側に露出した構成となっているが、開閉具１の一部が保護カバー２の外側に露出していることは必ずしも必要ではなく、保護カバー２の外部から内部へ磁場を与える等の遠隔制御による方法でヘッド部５にトルクを与える構成を採用してもよい。
開閉具１の材質としては、より広範囲の性状の内容物に対応可能とするために、金属製とすることが好ましく、ＳＵＳ３０４製とすることが特に好ましい。
【００１３】
次に、保護カバー部２について説明する。
保護カバー部２は、キャップおよびヘッド部５の周囲の空間を覆うように設けられている。このことにより、作業者がハンドル部を操作してキャップを開ける操作を行う際に、もし仮にキャップから液体内容物が噴出した場合にも、保護カバー２で覆われている部分については、保護カバー部２の外側に液体内容物を流出させることなく内側に留めることができる。
また、保護カバー部２は作業者が保持しやすい形状とすることが好ましい。本発明品である治具を使用するにあたり、治具を容器と治具を接続する際や、治具を保持する際の作業性が向上するからである。このような観点から、保護カバー部２に保持用の取っ手を取りつけてもよい。保護カバー部２の材質について特に制限はないが、より広範囲の性状の内容物に対応可能とするために、金属製とすることが好ましく、ＳＵＳ３０４製とすることが特に好ましい。
【００１４】
次に、圧力解放用開口部３について説明する。この圧力解放用開口部３は保護カバー部２に設けられている。この圧力解放用開口部３により、キャップを開ける際にもし仮にキャップから液体内容物が噴出した場合にも、保護カバー部２で覆われた部分内の圧力を上昇させずに、当該圧力解放用開口部３から圧力を逃がすことができる。当該圧力解放用開口部３をキャップの周囲方向の任意の位置に向けることで、液体内容物を任意の方向へ誘導することができる。この圧力解放用開口部３の形状について、図１では円柱状の保護カバー部２の側面の一部が縦方向に切り取られたような形状となっているが、形状について特に制限はない。また、圧力解放用開口部３の大きさとしては、保護カバー部２の内部の圧力を上昇させずに保護カバー部２の外部へ逃がすことが出来る程度となるよう、適宜設定することができる。
【００１５】
また、この圧力解放用開口部３の位置は、前記保護カバー部２の外側から保護カバー部２の内側をのぞいた場合にキャップを目視できるように構成してもよい。前記のような位置とすることで、本発明品を用いてキャップ開作業を行う際に、保護カバー部２の外側から内側のキャップを目視することができるので、開閉具１でキャップを把持する操作をスムーズに行うことができる。なお、キャップを把持する操作を完了した後は、圧力解放用開口部３を廃液ピットに向ける、圧力解放用開口部３に受け容器を設置する等の作業を行った後にキャップ開の作業を行う。
【００１６】
次に、接続用開口部４について説明する。接続用開口部４とは、本発明品である治具を使用する際に、治具と容器とを接続させるためのものである。治具と容器とを接続させるとは、治具を構成する保護カバー部２が容器のキャップを覆うように治具を容器に被せ、治具と容器との間にすき間がないように置くことを指す。すなわち、接続用開口部４の形状としては、本発明品である治具と容器とを接続した際に、容器と治具との間にすき間ができないように構成されている。このような形状とすることで、仮にキャップから液体内容物が噴出した場合であっても容器と治具とを接続した部分から液体内容物が流出するのを回避することが出来る。
【００１７】
次に、第一実施形態における開閉具１を構成する軸部６とハンドル部８について説明する。軸部６は、外部から加えられたトルクをヘッド部５に伝達する部分である。軸部６の形状に特に制限はないが、材料入手の容易さや操作の容易性の観点から、円柱状とすることができる。なお、加えられたトルクをヘッド部５に伝達する機能を有する限り、軸部６の途中でギアによる回転方向の変換等の機構を有していても構わない。また、軸部６の材質としては、より広範囲の性状の内容物に対応可能とするために、金属製とすることが好ましく、ＳＵＳ３０４製とすることが特に好ましい。
次に、ハンドル部８は、作業者が操作した際にトルクがかかりやすいような形状、例えば棒状のような形状とすることが好ましい。また、作業効率上、作業者が片手で保持できるような形状とすることが好ましい。
以上のように開閉具１の構成について、ヘッド部５のほかに軸部６ならびにハンドル部８を構成に加えることで、安価かつ作業性のよい容器のキャップ開閉用治具を製作することが可能となる。
【００１８】
また、保護カバー部２には、軸部６を貫通させるための軸貫通部７という穴を設けることができる。前記の軸貫通部７の開口面積は、もし仮にキャップから液体内容物が噴出した場合に流出を防止する観点から、５ｃｍ２以下とすることが好ましい。
【００１９】
[第二実施形態]
本発明品である容器のキャップ開閉用治具には、本発明の効果をより高めるために圧力解放パイプを付加してもよい。
図２は本発明品である容器のキャップ開閉用治具Ａに、圧力解放パイプ９を付加した一例の構成を示す図である。第一実施形態と同様に、ヘッド部５、軸部６ならびにハンドル部８からなる開閉具１、保護カバー部２とを備え、治具Ａの底面には接続用開口部４が、保護カバー部２には軸貫通部７が設けられているのに加えて、第一実施形態における圧力解放用開口部３に圧力解放パイプ９が接続された形態となっている。圧力解放用開口部３は、保護カバー部２における容器と接せる下端から容器のキャップの高さ以上の位置に配置するのが好ましい。開口時に開口部がキャップで閉塞することを防ぐためである。圧力解放パイプ９は、保護カバー部２と接続する側の端が保護カバー部２の内側と連通され、もう一方の端が開放されている。圧力解放用の開口部が圧力解放パイプ９で構成されていることにより、キャップを開ける際にもし仮にキャップから液体内容物が噴出した場合にも、圧力解放パイプ９を有しない場合と比較して、液体内容物の誘導方向をより制限することができるため、液体内容物が周囲に流出するリスクを低減させることができる。
【００２０】
圧力解放パイプ９の形状について特に制限はなく、内面および外面の断面形状が円形を有する直管や一部に折れ曲がり部を有する曲管等の、一般的な配管形状を採用することができる。圧力解放パイプ９の寸法としては、断面が円形の直管形状を採用する場合、保護カバー部２に接続する側の端からもう一方の開放された端までの長さ（配管長）について、液体内容物を所望の方向に誘導させやすくする観点からその配管長を１００ｍｍ以上とすることが好ましい。また、圧力解放パイプ９の内径としては、圧力を解放させる機能を担保する観点から、その内径を５０ｍｍ以上とすることが好ましい。
【００２１】
また、圧力解放パイプ９の解放された側に受け容器を設けるのも好ましい形態である。このように受け容器を設けることで、もし仮に液体内容物が保護カバー部２の外側へ流出した場合であっても周囲に拡散させることなく、回収することが可能となる。また、受け容器で回収された液体内容物を使用した場合に、液体内容物を廃棄することなく利用することができるという観点からも好ましい。なお、受け容器を設けても、圧力解放パイプ９の解放された側の口を塞がなければ、圧力解放の機能は担保される。
【００２２】
[第三実施形態]
本発明品である容器のキャップ開閉用治具には、本発明の効果をより高めるために流出抑制パイプを付加してもよい。
図３は本発明品である容器のキャップ開閉用治具に流出抑制パイプ１０を付加した一例の構成を示す図である。第二実施形態と同様にヘッド部５、軸部６ならびにハンドル部８からなる開閉具１と保護カバー部２とを備え、治具Ａの底面には接続用開口部４が、前記保護カバー部２には圧力解放パイプ９が設けられているのに加えて、第二実施形態における軸貫通部７に流出抑制パイプ１０が設けられている。流出抑制パイプ１０は、その内側に軸部６が挿通されており、その一方の端が保護カバー部２の内側と連通し、かつもう一方の端が開口している。
流出抑制パイプ１０を設けることにより、キャップを開ける際にもし仮にキャップから液体内容物が噴出した場合にも、噴出物の圧力が流出抑制パイプ１０で減圧されるため、液体内容物がハンドル部８の方向へ流出するリスクを低減することができる。
【００２３】
流出抑制パイプ１０の形状については特に制限されないが、通常は内面および外面の断面形状が円形を有する直管形状とすればよい。また、流出抑制パイプ１０の長さとしては、液体内容物の噴出物の圧力が減圧できる程度の長さとすればよく、流出抑制パイプ１０が直管形状の場合、保護カバー部２との連通部分からもう一方の開口している端までの長さを例えば５０ｍｍ以上とすることができる。
また、軸部６と流出抑制パイプ１０の内面との間には軸部６をスムーズに回転できる程度のクリアランスを設けることが好ましい。前記クリアランスの大きさについて、軸部６が円柱形状を有し流出抑制パイプ１０が内面および外面の断面形状が円形を有する直管形状の場合には、軸部６と流出抑制パイプとの距離を例えば２ｍｍ以上１０ｍｍ以下の範囲で構成することができる。
圧力解放パイプ９が設けられている場合、流出抑制パイプ１０の内径としては、圧力解放パイプ９の内径の３分の１以下とすることが好ましい。流出抑制パイプ１０の内径を圧力解放パイプ９と比べて小さくすることで、液体内容物がハンドル部８の方向へ流出するリスクをさらに低減することができるためである。
【００２４】
[容器のキャップ開閉用治具の使用方法]
次に、本発明品である容器のキャップ開閉用治具の使用方法の一例を、図４を用いて説明する。この例では、圧力解放パイプ９、ハンドル部８ならびに圧力解放パイプ９の開放されている先に流出した液体内容物を回収する受け容器を備えた、容器のキャップ開閉用治具Ａを用いて、ドラム缶容器Ｖのキャップを開ける作業を行っている。
まず、作業者が本発明品である容器のキャップ開閉用治具Ａの保護カバー部２を左手で保持し、ドラム缶容器Ｖのキャップ部分に容器接続用開口部４を被せるように、容器のキャップ開閉用治具Ａを置く。次に、右手でハンドル部８を操作して、ヘッド部５（不図示）によりキャップを把持させる。キャップを把持させる際には、左手で保持している保護カバー部２を一時的に持ち上げて、キャップの部分を目視しながら把持の作業を行ってもよい。その次に、ハンドル部８を回転操作することで、キャップを開ける。もし仮にキャップから液体内容物が噴出した場合にも、図示されているように液体内容物は圧力解放パイプ９を通じて保護カバー部２の外側の任意の方向に誘導させることができる。そのため、容器のキャップを開ける際の周囲の流出防止措置が不要となる。
【００２５】
以上の通り、本発明品である容器のキャップ開閉用治具の実施形態ならびに使用方法について説明したが、本発明はかかる例に限定されない。当業者であれば、上記記載された技術的思想の範疇内において、各種の変更例または修正例に想到しうることは明らかであり、それらについても当然に本発明の技術的範囲に属するものと了解される。
【符号の説明】
【００２６】
Ａ  容器のキャップ開閉用治具
１  開閉具
２  保護カバー部
３  圧力解放用開口部
４  接続用開口部
５  ヘッド部
６  軸部
７  軸貫通部
８  ハンドル部
９  圧力解放パイプ
１０  流出抑制パイプ
Ｖ  容器
【図１】
2018150063.tif 000003
【図２】
2018150063.tif 000004
【図３】
2018150063.tif 000005
【図４】
2018150063.tif 000006